(57)【要約】【課題】下唇付近に十分な空間を確保することができるマスクを提供する。【解決手段】  着用者の顔面の対象部位を覆うマスク本体部１と、マスク本体部１を前記着用者の耳に係止するための右耳掛け部２及び左耳掛け部３と、を備えるマスク１００であって、マスク本体部は１、着用者の口元と前記マスク本体部との間隔を確保する口部補強部材１３を備え、口部補強部材１３は、マスク本体部１の上下方向中央部よりも下部に備えられている。【選択図】図２
2018162546.tif 000002
【特許請求の範囲】
【請求項１】
着用者の顔面の対象部位を覆うマスク本体部と、当該マスク本体部を前記着用者の耳に係止するための左右一対の耳掛け部と、を備えるマスクであって、
前記マスク本体部は、着用者の口元と前記マスク本体部との間隔を確保する口部補強部材を備え、
前記口部補強部材は、前記マスク本体部の上下方向中央部よりも下部に備えられていることを特徴とするマスク。
【請求項２】
前記マスク本体部は、上下方向に展開する複数のプリーツを備え、
前記プリーツの上下方向の配置間隔は、前記マスク本体部の上下方向中央部を含む部分において最も広くなることを特徴とする請求項１に記載のマスク。
【請求項３】
前記マスク本体部は、上下方向に展開する複数のプリーツを備え、
前記プリーツは、前記マスク本体部前面の上下方向中央部よりも上部に形成された、上方に凸となる折り目である上部プリーツと、前記マスク本体部前面の上下方向中央部よりも下部に形成された、下方に凸となる折り目である下部プリーツと、を含むことを特徴とする請求項１又は２に記載のマスク。
【請求項４】
前記上部プリーツと前記下部プリーツとは、共に複数備えられていることを特徴とする請求項３に記載のマスク。
【請求項５】
前記プリーツの配置間隔は、全て異なることを特徴とする請求項２〜４のいずれか一項に記載のマスク。
【請求項６】
前記マスク本体部は、上部に鼻部補強部材を備えることを特徴とする請求項１〜５のいずれか一項に記載のマスク。
【発明の詳細な説明】
【技術分野】
【０００１】
本発明は、着用者の顔面の鼻、口等を覆うマスクに関する。
【背景技術】
【０００２】
疾病時や花粉、黄砂等の粉塵飛来時、その他の日常生活において使用されるマスクとしては、マスク本体部にプリーツが形成され、着用時には上下方向に展開させることを可能としたものが存在している。
このようなプリーツが形成されたマスクは、上下方向に展開させることが可能であり、口元の動きや顔の大きさに合わせてプリーツの展開度合いを調整することにより、サイズの調整を行い易いが、プリーツの折り目の入れ方によっては、口元の空間が狭くなったり、呼吸によって口元の空間がつぶれてしまったりする場合がある。
そこで、マスクの上下方向中央部に補強部材をいれることで、口元の空間を確保したものが存在している（例えば、特許文献１参照）。
【先行技術文献】
【特許文献】
【０００３】
【特許文献１】特開２００７−９７９０４号公報
【発明の概要】
【発明が解決しようとする課題】
【０００４】
呼吸や会話の際には、主として下唇が動くこととなるため、補強部材は、マスク本体と下唇との間の空間を十分に確保する必要がある。しかしながら、上記特許文献１に記載のマスクにおいては、補強部材がマスクの上下方向中央部に備えられているため、これが着用者の上下の唇の間に位置する場合が多く、下唇付近に十分な空間を確保することができなかった。
【０００５】
本発明は、下唇付近に十分な空間を確保することができるマスクを提供することを目的とする。
【課題を解決するための手段】
【０００６】
上記課題を解決するために、請求項１に記載の発明は、
着用者の顔面の対象部位を覆うマスク本体部と、当該マスク本体部を前記着用者の耳に係止するための左右一対の耳掛け部と、を備えるマスクであって、
前記マスク本体部は、着用者の口元と前記マスク本体部との間隔を確保する口部補強部材を備え、
前記口部補強部材は、前記マスク本体部の上下方向中央部よりも下部に備えられていることを特徴とする。
本発明によれば、マスクの着用時において、着用者の下唇付近の空間を広く確保することができる。
【０００７】
請求項２に記載の発明は、請求項１に記載のマスクにおいて、
前記マスク本体部は、上下方向に展開する複数のプリーツを備え、
前記プリーツの上下方向の配置間隔は、前記マスク本体部の上下方向中央部を含む部分において最も広くなることを特徴とする。
本発明によれば、マスクの着用時において、着用者の口元に対向することとなるマスク本体部の上下方向中央部付近に折り目が形成されることを防止でき、着用者の口元の空間を確保し易くなる。
【０００８】
請求項３に記載の発明は、請求項１又は２に記載のマスクにおいて、
前記マスク本体部は、上下方向に展開する複数のプリーツを備え、
前記プリーツは、前記マスク本体部前面の上下方向中央部よりも上部に形成された、上方に凸となる折り目である上部プリーツと、前記マスク本体部前面の上下方向中央部よりも下部に形成された、下方に凸となる折り目である下部プリーツと、を含むことを特徴とする。
本発明によれば、マスク本体の上下方向中心部を中心として、上下にマスクを展開し易くなる。
【０００９】
請求項４に記載の発明は、請求項３に記載のマスクにおいて、
前記上部プリーツと前記下部プリーツとは、共に複数備えられていることを特徴とする。
本発明によれば、マスクの上部及び下部のいずれにおいても、マスクの広がり具合の調整が行い易くなる。
【００１０】
請求項５に記載の発明は、請求項２〜４のいずれか一項に記載のマスクにおいて、
前記プリーツの配置間隔は、全て異なることを特徴とする。
本発明によれば、プリーツごとに配置間隔を変え、適切な位置に配置することができる。
【００１１】
請求項６に記載の発明は、請求項１〜５のいずれか一項に記載のマスクにおいて、
前記マスク本体部は、上部に鼻部補強部材を備えることを特徴とする。
本発明によれば、マスク本体部上部の密着性を高め、マスク本体部と着用者の顔面との間に隙間が生じないようにすることができる。
【発明の効果】
【００１２】
本発明によれば、下唇付近に十分な空間を確保することができるマスクを提供することができる。
【図面の簡単な説明】
【００１３】
【図１】実施形態に係るマスクを示す斜視図である。
【図２】実施形態に係るマスクを示す正面図である。
【図３】図２のIII-III部における断面図である。
【図４】変形例に係るマスクを示す正面図である。
【発明を実施するための形態】
【００１４】
以下、本発明の実施の形態であるマスクの具体的な態様について、図１から図４に基づいて説明する。ただし、本発明の技術的範囲は図示例に限定されるものではなく、あくまで特許請求の範囲の記載を基に判断される。
なお、以下においては、図１に示すようにＸ方向、Ｙ方向及びＺ方向、並びに前後、左右及び上下を定めて説明する。なお、図２及び図４においては、図の手前側を前、図の奥側を後とする。また、図３においては、図の手前側を右、図の奥側を左とする。
【００１５】
（実施形態の構成）
（全体構成）
マスク１００は、図１及び図２に示すように、着用者の顔面の鼻、口、顎等を覆うマスク本体部１と、マスク本体部１を着用者の右耳に係止するための右耳掛け部２と、マスク本体部１を着用者の左耳に係止するための左耳掛け部３と、を備えている。なお、マスク１００は、後面側を着用者の顔面に向けて着用される。
【００１６】
（マスク本体部）
マスク本体部１は、シート部１１と、シート部１１の上端部付近に取り付けられる鼻部補強部材１２と、シート部１１の上下方向中央部付近に取り付けられる口部補強部材１３と、を備える。
【００１７】
（シート部）
シート部１１は、図２に示すように正面視略矩形状に形成されたシート状の部材であり、複数のシート材を積層して形成されている。
シート部１１は、Ｙ方向１２０ｍｍから２１０ｍｍ、好ましくは１４５ｍｍから１７５ｍｍ、Ｚ方向７０ｍｍから１００ｍｍ、好ましくは８０ｍｍから９０ｍｍに形成される。
【００１８】
シート部１１は、例えば、前面側不繊布、フィルター、後面側不繊布の順に３層にシート材を積層して形成されている。具体的なシート材としては、例えば不繊布として、ポリプロピレンスパンボンド、ポリエチレンスパンボンド、ナイロンスパンボンド等が用いられる。また、フィルターとして、ポリプロピレンメルトブロー、レーヨンスパンボンド等が用いられる。
最も好適には、不繊布としてナイロンスパンボンド、フィルターとしてポリプロピレンメルトブローが用いられる。
【００１９】
なお、シート部１１の層構造は上記のものには限られず、例えばさらにシート材を追加して、更なる多層構造としてもよいし、より少ないシート材によって形成してもよい。
これらのシート材を重ねた上で、後述の上部プリーツ１１１及び下部プリーツ１１２、１１２が形成されるように折り畳まれた状態で、上下及び左右の端部を、例えば熱又は超音波によって溶着することで、シート部１１が形成される。
【００２０】
（プリーツ）
シート部１１は、図３に示すように上下方向に折り返されており、これによって、前面側に図１から図３に示すように、上部プリーツ１１１と、下部プリーツ１１２、１１２とが形成されている。マスク１００の着用時には、これらを上下方向に展開することによって、シート部１１が外側に膨出する山型の立体形状となって、着用者の顔面の鼻、口、顎等が覆われるようになっている。
【００２１】
（上部プリーツ）
上部プリーツ１１１は、図１から図３に示すように、シート部１１前面の上下方向中央部よりも上部に形成された、上方に凸となる折り目であり、上下方向に展開することができる。本実施形態においては、上部プリーツ１１１は、シート部１１の１か所に備えられている。
【００２２】
（下部プリーツ）
下部プリーツ１１２、１１２は、図１から図３に示すように、シート部１１前面の上下方向中央部よりも下部に形成された、下方に凸となる折り目であり、上下方向に展開することができる。本実施形態においては、下部プリーツ１１２，１１２は、シート部１１の２か所に備えられている。
【００２３】
（プリーツの配置間隔）
本実施形態における上部プリーツ１１１及び下部プリーツ１１２，１１２は、以下の配置間隔でシート部１１に備えられている。なお、プリーツの配置間隔には、上部プリーツ１１１とマスク上端縁との間隔及び下部プリーツ１１２，１１２のうち下方に形成されたものとマスク下端縁との間隔を含むものとする。
【００２４】
まず、上部プリーツ１１１及び下部プリーツ１１２，１１２は、シート部１１の上下方向中央部を含む、上部プリーツ１１１と下部プリーツ１１２，１１２のうち上方に形成されたものとの間の部分の間隔が、最も広くなるように形成されている。具体的には、当該部分は、シート部１１の上下方向の幅の３分の１以上の幅を有するように形成されている。
【００２５】
さらに、上部プリーツ１１１及び下部プリーツ１１２，１１２は、これらの配置間隔が全て異なる間隔となるように配置されていることが望ましい。
【００２６】
なお、各プリーツにおいて形成される折り返し部分の上下の幅は、全てのプリーツにおいて同一でもよいが、プリーツごとに異なる幅としてもよい。例えば、全てのプリーツにおいて折り返し部分の幅が同一であれば、シート部１１を各プリーツにおいて均等に広げることが可能となる。また、上部プリーツ１１１において折り返し部分の幅を広くすれば、シート部１１上部を大きく広げることが可能となり、下部プリーツ１１２、１１２において折り返し部分の幅を広くすれば、シート部１１下部を大きく広げることが可能となる。
【００２７】
（鼻部補強部材）
鼻部補強部材１２は、マスク本体部１の上部が着用者の鼻付近の形状に沿って、隙間が生じないようにするためのものであり、図２に示すように、シート部１１の上端縁に沿って備えられている。
鼻部補強部材１２は、左右方向に長い可塑性を有する部材であり、図２に示すようにシート部１１の横幅よりも短く、左右方向に８０〜１３５ｍｍ、好ましくは９０ｍｍ〜１２０ｍｍ程度の長さを有するように形成されている。
【００２８】
鼻部補強部材１２の材料としては、可塑性を有する任意の材料を使用可能であるが、例えば、ポリプロピレン樹脂、ポリエチレン樹脂、ポリエチレンテレフタラート樹脂等が用いられ、最も好適には、ポリプロピレン樹脂が用いられる。
【００２９】
鼻部補強部材１２は、例えば、シート部１１を形成するシート材を熱や超音波等を用いて、前後に融着させることで鼻部補強部材１２と形状が略一致する袋状の空間を形成し、当該空間内に鼻部補強部材１２を収納することで、シート部１１に取り付けられている。
【００３０】
（口部補強部材）
口部補強部材１３は、着用者の口付近と、マスク本体部１との間に間隙を確保するためのものであり、図２及び図３に示すように、シート部１１の、上部プリーツ１１１と、下部プリーツ１１２，１１２のうち上方に形成されたものとの間の位置に備えられている。
口部補強部材１３は、左右方向に長い可塑性を有する部材であり、図２に示すようにシート部１１の横幅よりも僅かに短く、左右方向に１００〜１５０ｍｍ、好ましくは１１５ｍｍ〜１４５ｍｍ程度の長さを有するように形成されている。
【００３１】
口部補強部材１３の材料としては、可塑性を有する任意の材料を使用可能であるが、例えば、鼻部補強部材１２と同様、ポリプロピレン樹脂、ポリエチレン樹脂、ポリエチレンテレフタラート樹脂等が用いられ、最も好適には、ポリプロピレン樹脂が用いられる。
【００３２】
口部補強部材１３は、シート部１１の上下方向中央部よりも僅かに下方に取り付けられている。具体的には、シート部１１の上下方向中央部から５ｍｍから１０ｍｍ下にずれた位置に取り付けられていることが望ましい。
【００３３】
口部補強部材１３は、鼻部補強部材１２と同様、例えば、シート部１１を形成するシート材を、熱や超音波等を用いて前後に融着させることで口部補強部材１３と形状が略一致する袋状の空間を形成し、当該空間内に口部補強部材１３を収納することで、シート部１１に取り付けられている。
この際、シート部１１の最前部のシート材を避けて上記の袋状の空間を形成すると、口部補強部材１３を前方から視認し難くなり、マスク１００の見栄えの点から望ましい。
【００３４】
（耳掛け部）
右耳掛け部２及び左耳掛け部３は、例えばポリウレタン等によって形成された紐状の部材であり、右耳掛け部２はマスク本体部１の右側に、左耳掛け部３はマスク本体部１の左側に備えられている。右耳掛け部２及び左耳掛け部３は、夫々シート部１１の端部に、例えば熱・超音波等によって溶着することにより取り付けられる。
【００３５】
（具体的配置方法）
本実施形態に係るマスク１００においては、上部プリーツ１１１、下部プリーツ１１２，１１２及び口部補強部材１３は、シート部１１が上下方向に９０ｍｍの幅を有する場合について、例えば以下のように配置される。
まず、上部プリーツ１１１は鼻と口の間に折り目が配置されるようにシート部１１上端から２５ｍｍの位置に配置される。
また、下部プリーツ１１２、１１２のうち上部のものは、着用者の口元部分がシート部１１の折り目がない部分で覆われるように、上部プリーツ１１１から４０ｍｍの位置に配置される。
また、下部プリーツ１１２、１１２のうち下部のものは、顎の下に回り込むように、下部プリーツ１１２のうち上部のものから１５ｍｍの位置に配置される。
また、口部補強部材１３は、マスク本体部１の上下方向中央部から下方へ５ｍｍずれた位置に配置される。
【００３６】
（実施形態の効果）
本実施形態に係るマスク１００によれば、着用者の口元の空間を確保するための口部補強部材１３は、マスク本体部１の上下方向中央部よりも僅かに下方に取り付けられている。これによって、マスク１００の着用時において、口部補強部材１３によって下唇付近の空間を広く確保でき、会話や呼吸のために下唇が動いた際にマスク１００に触れ難くなる。また、口部補強部材１３が着用者の口の開口部の正面に来ることで呼吸の妨げとなることも防止できる。
【００３７】
また、マスク本体部１の上下方向中央部付近においてプリーツの間隔が最も広くなることから、マスク１００の着用時において、着用者の口に対向するマスク本体部１の上下方向中央部付近に折り目が形成されることを防止できる。これによって、着用者の口元の空間を確保し易くなる。
【００３８】
また、マスク本体部１の上下方向中央部よりも上部には、上方に凸となる折り目である上部プリーツ１１１が形成され、マスク本体部１の上下方向中央部よりも下部には、下方に凸となる折り目である下部プリーツが形成されている。これによって、マスク本体部１の上下方向中心部を中心として、上下にマスク本体部１を展開し易くなる。
【００３９】
また、プリーツの配置間隔が全て異なる場合、プリーツごとに配置間隔を変え、適切な位置に配置することができる。
【００４０】
（変形例１）
図４に示した変形例に係るマスク１００Ａは、上部プリーツ１１１，１１１を２カ所に備えたものである。その余の構成は上記実施形態と同様である。
本変形例によれば、上部プリーツ１１１，１１１と下部プリーツ１１２，１１２とが共に複数備えられているため、マスクの上部、下部のいずれにおいても、広がり具合の調整が行い易くなる。
【００４１】
本変形例に係るマスク１００Ａにおいては、上部プリーツ１１１、１１１、下部プリーツ１１２，１１２及び口部補強部材１３は、シート部１１Ａが上下方向に９０ｍｍの幅を有する場合について、例えば以下のように配置される。
まず、上部プリーツ１１１、１１１のうち上部のものは、鼻の先に折り目が配置されるようにシート部１１Ａ上端から１０ｍｍの位置に配置される。
また、上部プリーツ１１１，１１１のうち下部のものは、鼻と口の間に折り目が配置されるように、上部プリーツ１１１、１１１のうち上部のものから１５ｍｍの位置に配置される。
また、下部プリーツ１１２、１１２のうち上部のものは、着用者の口元部分がシート部１１の折り目がない部分で覆われるように、上部プリーツ１１１、１１１のうち下部のものから４０ｍｍの位置に配置される。
また、下部プリーツ１１２、１１２のうち下部のものは、顎にかかるように、下部プリーツ１１２，１１２のうち上部のものから２０ｍｍの位置に配置される。
また、口部補強部材１３は、マスク本体部１の上下方向中央部から下方へ１０ｍｍずれた位置に配置される。
【００４２】
なお、上部プリーツ及び下部プリーツの数は、図示したものに限られない。例えば、上部プリーツを３か所以上に設けてもよく、また、下部プリーツを１か所のみ又は３か所以上に設けてもよい。
また、例えば、口部補強部材１３は、下部プリーツ１１２で折り返された、シート部１１の内側に位置する部分に配置されていてもよい。この場合、下部プリーツ１１２の開き具合に応じて、口部補強部材１３の位置を上下に移動させることができる。また、下部プリーツ１１２を開いていない状態においては、シート部１１の口部補強部材１３が取り付けられた部分が前方から視認できなくなることから、マスク１００の見栄えを向上させることができる。
【符号の説明】
【００４３】
１００  マスク
１  マスク本体部
１１１  上部プリーツ（プリーツ）
１１２  下部プリーツ（プリーツ）
１２  鼻部補強部材
１３  口部補強部材
２  右耳掛け部（耳掛け部）
３  左耳掛け部（耳掛け部）
【図１】
2018162546.tif 000003
【図２】
2018162546.tif 000004
【図３】
2018162546.tif 000005
【図４】
2018162546.tif 000006
【手続補正書】
【提出日】平成30年6月14日(2018.6.14)
【手続補正１】
【補正対象書類名】明細書
【補正対象項目名】０００６
【補正方法】変更
【補正の内容】
【０００６】
上記課題を解決するために、請求項１に記載の発明は、
着用者の顔面の対象部位を覆うマスク本体部と、当該マスク本体部を前記着用者の耳に係止するための左右一対の耳掛け部と、を備えるマスクであって、
前記マスク本体部は、着用者の口元と前記マスク本体部との間隔を確保する口部補強部材と、上下方向に展開する複数のプリーツと、を備え、
前記プリーツは、前記マスク本体部前面の上下方向中央部よりも上部に形成された、上方に凸となる折り目である上部プリーツと、前記マスク本体部前面の上下方向中央部よりも下部に形成された、下方に凸となる折り目である下部プリーツと、を含み、
前記口部補強部材は、前記マスク本体部の上下方向中央部よりも下部の、前記下部プリーツで折り返された、前記マスク本体部の内側に位置する部分に備えられていることを特徴とする。
本発明によれば、形状が崩れ難いマスクを提供することができる。
請求項２に記載の発明は、着用者の顔面の対象部位を覆うマスク本体部と、当該マスク本体部を前記着用者の耳に係止するための左右一対の耳掛け部と、を備えるマスクであって、
前記マスク本体部は、３枚以上のシート材が積層されており、着用者の口元と前記マスク本体部との間隔を確保する口部補強部材と、上下方向に展開する複数のプリーツと、を備え、
前記プリーツは、前記マスク本体部前面の上下方向中央部よりも上部に形成された、上方に凸となる折り目である上部プリーツと、前記マスク本体部前面の上下方向中央部よりも下部に形成された、下方に凸となる折り目である下部プリーツと、を含み、
前記口部補強部材は、前記着用者から最も遠いシート材以外の前記シート材が接続されて形成された袋状の空間に収納され、前記マスク本体部の上下方向中央部よりも下部に備えられていることを特徴とする。
【手続補正２】
【補正対象書類名】明細書
【補正対象項目名】０００７
【補正方法】変更
【補正の内容】
【０００７】
請求項３に記載の発明は、請求項１又は２に記載のマスクにおいて、
前記プリーツの上下方向の配置間隔は、前記マスク本体部の上下方向中央部を含む部分において最も広くなることを特徴とする。
本発明によれば、マスクの着用時において、着用者の口元に対向することとなるマスク本体部の上下方向中央部付近に折り目が形成されることを防止でき、着用者の口元の空間を確保し易くなる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項４に記載の発明は、請求項１〜３のいずれか一項に記載のマスクにおいて、
前記上部プリーツと前記下部プリーツとは、共に複数備えられていることを特徴とする。
本発明によれば、マスクの上部及び下部のいずれにおいても、マスクの広がり具合の調整が行い易くなる。
【手続補正５】
【補正対象書類名】明細書
【補正対象項目名】００１０
【補正方法】変更
【補正の内容】
【００１０】
請求項５に記載の発明は、請求項１〜４のいずれか一項に記載のマスクにおいて、
前記プリーツの配置間隔は、全て異なることを特徴とする。
本発明によれば、プリーツごとに配置間隔を変え、適切な位置に配置することができる。
【手続補正６】
【補正対象書類名】特許請求の範囲
【補正対象項目名】全文
【補正方法】変更
【補正の内容】
【特許請求の範囲】
【請求項１】
着用者の顔面の対象部位を覆うマスク本体部と、当該マスク本体部を前記着用者の耳に係止するための左右一対の耳掛け部と、を備えるマスクであって、
前記マスク本体部は、着用者の口元と前記マスク本体部との間隔を確保する口部補強部材と、上下方向に展開する複数のプリーツと、を備え、
前記プリーツは、前記マスク本体部前面の上下方向中央部よりも上部に形成された、上方に凸となる折り目である上部プリーツと、前記マスク本体部前面の上下方向中央部よりも下部に形成された、下方に凸となる折り目である下部プリーツと、を含み、
前記口部補強部材は、前記マスク本体部の上下方向中央部よりも下部の、前記下部プリーツで折り返された、前記マスク本体部の内側に位置する部分に備えられていることを特徴とするマスク。
【請求項２】
着用者の顔面の対象部位を覆うマスク本体部と、当該マスク本体部を前記着用者の耳に係止するための左右一対の耳掛け部と、を備えるマスクであって、
前記マスク本体部は、３枚以上のシート材が積層されており、着用者の口元と前記マスク本体部との間隔を確保する口部補強部材と、上下方向に展開する複数のプリーツと、を備え、
前記プリーツは、前記マスク本体部前面の上下方向中央部よりも上部に形成された、上方に凸となる折り目である上部プリーツと、前記マスク本体部前面の上下方向中央部よりも下部に形成された、下方に凸となる折り目である下部プリーツと、を含み、
前記口部補強部材は、前記着用者から最も遠いシート材以外の前記シート材が接続されて形成された袋状の空間に収納され、前記マスク本体部の上下方向中央部よりも下部に備えられていることを特徴とするマスク。
【請求項３】
前記プリーツの上下方向の配置間隔は、前記マスク本体部の上下方向中央部を含む部分において最も広くなることを特徴とする請求項１又は２に記載のマスク。
【請求項４】
前記上部プリーツと前記下部プリーツとは、共に複数備えられていることを特徴とする請求項１〜３のいずれか一項に記載のマスク。
【請求項５】
前記プリーツの配置間隔は、全て異なることを特徴とする請求項１〜４のいずれか一項に記載のマスク。
【請求項６】
前記マスク本体部は、上部に鼻部補強部材を備えることを特徴とする請求項１〜５のいずれか一項に記載のマスク。